(57)【要約】【課題】積層コネクタのロック解除を作業性良くスムーズ且つ確実に行わせる。【解決手段】積層コネクタの一方のハウジング２のロック部５と他方のハウジング３の被ロック部１９との係合を解除する解除ピン６と、解除ピンの付根側に続き、他方のハウジング３の後端面２６ａに当接する他方の当接面７と、当接面よりも前方に突出し、一方のハウジング２の後端面２６ａに押接する一方の押圧面９とを備える積層コネクタ用解除治具１を基本とする。他方の当接面５０を有する固定部材４７と、一方の押圧面４２を有するスライド部材４３と、スライド部材を前方に付勢して押圧面を当接面よりも前方に突出させる弾性部材４５とを備える積層コネクタ用解除治具４１を併せて採用する。【選択図】図１
2011222399.tif 000002
【特許請求の範囲】
【請求項１】
積層コネクタの一方のハウジングのロック部と他方のハウジングの被ロック部との係合を解除する解除ピンと、該解除ピンの付根側に続き、該他方のハウジングの後端面に当接する他方の当接面と、該当接面よりも前方に突出し、該一方のハウジングの後端面に押接する一方の押圧面とを備えることを特徴とする積層コネクタ用解除治具。
【請求項２】
積層コネクタの一方のハウジングのロック部と他方のハウジングの被ロック部との係合を解除する解除ピンと、該解除ピンの付根側に続き、該他方のハウジングの後端面に当接する他方の当接面を有する固定部材と、該一方のハウジングの後端面に押接する一方の押圧面を有するスライド部材と、該スライド部材を前方に付勢して該押圧面を該当接面よりも前方に突出させる弾性部材とを備えることを特徴とする積層コネクタ用解除治具。
【請求項３】
前記弾性部材の最圧縮状態で前記該押圧面が該当接面よりも前方に突出して位置することを特徴とする請求項２記載の積層コネクタ用解除治具。
【発明の詳細な説明】
【技術分野】
【０００１】
本発明は、積層コネクタを成す各コネクタ相互のロックを解除させる積層コネクタ用解除治具に関するものである。
【背景技術】
【０００２】
図１４は、従来の積層コネクタ用解除治具の一形態を示すものである（特許文献１参照）。
【０００３】
この積層コネクタは、上下二つの絶縁樹脂製のコネクタハウジング６１，６２と、各コネクタハウジング内に挿入された電線付きの雌端子とで構成されている。上側のハウジング６１の側壁にロック突起６３が設けられ、下側のハウジング６２の側壁にロック枠片６４が立設されている。両ハウジング６１，６２を積層（合体）させることで、ロック枠片６４にロック突起６３が係合し、両コネクタが相互に固定される。
【０００４】
解除治具６５は、各ハウジング６１，６２のロックを解除するためのものであり、握り部６６と、コの字状の板部６７と、板部６７の左右に設けられたピン状の解除部６８及びガイド部６９とで構成されている。ガイド部６９を上側のハウジング６１にスライド係合させることで、解除部６８がロック枠片６４を外向きに撓ませてロック突起６３から離脱させる。上記積層コネクタは、雄端子を収容した相手コネクタ（図示せず）に嵌合接続される。
【０００５】
上記以外の積層コネクタ用解除治具としては、特許文献２に、上下のハウジングの側部にロック爪を垂設すると共に、ロック爪を係合させるロック凹部を設けた積層コネクタに対して、爪付きの治具を側方から差し込んでロック爪をこじって外向きに撓ませてロック解除することが記載されている。この積層コネクタは、ハウジング内の端子を相互に接続させるジョイントコネクタである。
【０００６】
特許文献３には、解除治具の記載はないが、積層コネクタとして、上下のハウジングを前後方向にスライド嵌合させると同時に、上側のハウジングのロック突起を下側のハウジングのロックアームに係合させ、ハウジング内の電線付きの雌端子をハウジング内のバスバーでジョイントさせることが記載されている。
【先行技術文献】
【特許文献】
【０００７】
【特許文献１】特開２００８−８４６７２号公報（図１，図３）
【特許文献２】特開２００５−２５９９７号公報（図６〜図８）
【特許文献３】特開２００９−２９５４２３号公報（図１，図４）
【発明の概要】
【発明が解決しようとする課題】
【０００８】
しかしながら、上記従来の図１４の積層コネクタ用解除治具６５にあっては、下側のハウジング６２のロック枠片６４をロック解除方向に撓ませた状態でハウジング６２を下方に強く引っ張って離脱させなければならず、例えばハウジング６１，６２と解除治具６５との間にガタがある場合に、不意に再度ロックを生じやすく、ロック解除作業性が悪いという懸念があった。
【０００９】
本発明は、上記した点に鑑み、積層コネクタのロック解除を作業性良くスムーズ且つ確実に行うことのできる積層コネクタ用解除治具を提供することを目的とする。
【課題を解決するための手段】
【００１０】
上記目的を達成するために、本発明の請求項１に係る積層コネクタ用解除治具は、積層コネクタの一方のハウジングのロック部と他方のハウジングの被ロック部との係合を解除する解除ピンと、該解除ピンの付根側に続き、該他方のハウジングの後端面に当接する他方の当接面と、該当接面よりも前方に突出し、該一方のハウジングの後端面に押接する一方の押圧面とを備えることを特徴とする。
【００１１】
上記構成により、解除ピンがロック部をロック解除方向に押圧して被ロック部との係合を解除させ、それと同時に一方の押圧面が一方のハウジングの後端面を前方（ハウジング離脱方向）に押圧して他方のハウジングよりも前方に移動させ、ロック部と被ロック部とを前後に離間させ、他方の当接面が他方のハウジングの後端面に当接して、解除治具の押圧操作が終了する。一方のハウジングが他方のハウジングよりも強制的に前方に押し出されることで、不意な再ロックが防止される。ロック部としては可撓性のロックアームやロック枠片、被ロック部としてはロック突起やロック爪が好ましい。一方及び他方は積層方向の一方及び他方であり、例えば一方のハウジングは下段のハウジング、他方のハウジングは上段のハウジングである。
【００１２】
請求項２に係る積層コネクタ用解除治具は、積層コネクタの一方のハウジングのロック部と他方のハウジングの被ロック部との係合を解除する解除ピンと、該解除ピンの付根側に続き、該他方のハウジングの後端面に当接する他方の当接面を有する固定部材と、該一方のハウジングの後端面に押接する一方の押圧面を有するスライド部材と、該スライド部材を前方に付勢して該押圧面を該当接面よりも前方に突出させる弾性部材とを備えることを特徴とする。
【００１３】
上記構成により、自由状態で一方の押圧面が弾性部材の付勢力で前方に突出した状態から、解除ピンがロック部をロック解除方向に押圧して被ロック部との係合を解除させ、それと同時に弾性部材が圧縮されつつ一方の押圧面が後退し、弾性部材の反発力で一方の押圧面が一方のハウジングの後端面を前方（ハウジング離脱方向）に押圧して他方のハウジングよりも前方に移動させ、ロック部と被ロック部とを前後に離間させ、他方の当接面が他方のハウジングの後端面に当接して、解除治具の押圧操作が終了する。一方のハウジングが他方のハウジングよりも強制的に前方に押し出されることで、不意な再ロックが防止される。ロック部としては可撓性のロックアームやロック枠片、被ロック部としてはロック突起やロック爪が好ましい。一方及び他方は積層方向の一方及び他方であり、例えば一方のハウジングは下段のハウジング、他方のハウジングは上段のハウジングである。
【００１４】
請求項３に係る積層コネクタ用解除治具は、請求項２記載の積層コネクタ用解除治具において、前記弾性部材の最圧縮状態で前記該押圧面が該当接面よりも前方に突出して位置することを特徴とする。
【００１５】
上記構成により、弾性部材が圧縮されつつ一方の押圧面がある程度後退した時点で他方の面よりも一方の押圧面が前方に位置しているので、一方の押圧面が弾性部材の反発力を加味しつつ矯正的に一方のハウジングの後端面を前方に押圧して他方のハウジングよりも大きく前方に移動させて、ロック部と被ロック部とを前後に大きく離間させる。請求項１と請求項２の作用を合わせた作用を奏する。
【発明の効果】
【００１６】
請求項１記載の発明によれば、ロック解除の直後に一方のハウジングを前方に押し出してロックアームとロック突起とを前後に離間させることで、不意な再ロックを確実に防止することができ、それにより、たとえハウジングと解除治具との間にガタがある場合でも、積層コネクタのロック解除と分離をスムーズ且つ確実に行うことができる。
【００１７】
請求項２記載の発明によれば、ロック解除の直後に一方のハウジングを弾性部材の反発力で前方に押し出してロックアームとロック突起とを前後に離間させることで、不意な再ロックを確実に防止することができ、それにより、たとえハウジングと解除治具との間にガタがある場合でも、積層コネクタのロック解除と分離をスムーズ且つ確実に行うことができる。
【００１８】
請求項３記載の発明によれば、他方の当接面よりも常に前方に突出した一方の押圧面と弾性部材の反発力との相乗作用で、一方のハウジングの離脱と再ロック防止を一層確実に行わせることができる。
【図面の簡単な説明】
【００１９】
【図１】本発明に係る積層コネクタ用解除治具の第一の実施形態を示す分解斜視図である。
【図２】積層コネクタを成すハウジングの一形態に端子を収容する状態の分解斜視図である。
【図３】ハウジングに端子とバスバーを収容したコネクタの一形態を示す縦断面図である。
【図４】積層コネクタに解除治具を初期挿入した状態を示す横断面図である。
【図５】解除治具の下段の押圧面を下段のハウジングに当接させた状態を示す横断面図である。
【図６】解除治具の上段の当接面を上段のハウジングに当接させた状態を示す横断面図である。
【図７】解除治具で積層コネクタを押圧してロック解除させた状態を示す縦断面図である。
【図８】本発明に係る積層コネクタ用解除治具の第二の実施形態を示す分解斜視図である。
【図９】同じく解除治具を示す分解斜視図である。
【図１０】積層コネクタに解除治具を初期挿入した状態を示す横断面図である。
【図１１】解除治具の下段の押圧面を下段のハウジングに当接させた状態を示す横断面図である。
【図１２】解除治具の上段の当接面を上段のハウジングに当接させた状態を示す横断面図である。
【図１３】解除治具で積層コネクタを押圧してロック解除させた状態を示す縦断面図である。
【図１４】従来の積層コネクタ用解除治具の一形態を示す分解斜視図である。
【発明を実施するための形態】
【００２０】
図１〜図７は、本発明に係る積層コネクタ用解除治具の第一の実施形態を示すものである。
【００２１】
図１の如く、この積層コネクタ用解除治具１は、複数（本例で三つ）の絶縁樹脂製のコネクタハウジング２〜４を高さ方向に積層した状態で、上下のハウジング２，３の両側部のロックアーム５を外向き（ロック解除方向）に撓ませる左右一対の水平な解除ピン６と、解除ピン６の付根（基端）に直交した上段（他方）の垂直な当接面７と、上段の当接面７の下端に水平な幅狭な段差面８を介して続き、当接面７よりも段差面８の幅寸法分だけ前方に突出した下段（一方）の垂直な押圧面９と、各面７，９を前部に有する横長矩形状のブロック部（治具本体）１０と、ブロック部１０の中央に直交して設けられた棒状の握り部（操作部）１１とを備えたものである。
【００２２】
各解除ピン６は縦断面略矩形状に形成され、先端部の内側に挿入案内用の傾斜面６ａを有し、傾斜面６ａに続く垂直な先端面６ｂと外側面６ｃとは傾斜なく直交し、内側面６ｄと外側面６ｃとは平行に位置している。各解除ピン６の上部内側には溝６ｅが設けられ、溝６ｅの外側に上向きの鍔状のリブ６ｆが形成されている。
【００２３】
各解除ピン６の付根部（基端部）は外側の鍔壁１２の内側面に一体に固定され、各鍔壁１２はブロック部１０の左右端から前方に一体に突出している。両鍔壁１２の内側において上段の当接面７と下段の押圧面９とがブロック部１０の高さ方向中間の段差８を介して位置している。解除ピン６は上段の当接面７から前方に突出し、解除ピン６の付根の下側に段差面８が近接して位置している。
【００２４】
ブロック部１０の下段の押圧面９を有する下半部は厚く、上段の当接面７を有する上半部は下半部よりも段差面８の幅寸法分だけ薄く形成され、当接面７と押圧面９とはブロック部１０の上下の垂直な前端面を成し、ブロック部１０の後端面１０ａは上下同一（共通）の垂直面となっている。握り部１１は円形の大径の鍔部１１ａと小径の首部１１ｂを介してブロック部１０の後端面１０ａに連結され、握り部１１は周方向の回り防止のために断面六角形に形成されている。解除治具１は金属材で形成されることが好ましいが、硬質の合成樹脂で一体形成することも可能である。
【００２５】
図１の各コネクタハウジング２〜４は同一形状のものであり、図２にも示す如く（ハウジングの符号は２とする）、水平な上壁１３の左右端の上側に垂直な側壁１４と、側壁１４の上端から内向きに続く水平な鍔状のガイド壁１５と（上壁１３の左右端もガイド壁１５’となっている）、側壁１４に上下及び前側のスリット１６を設けてスリット内に形成された前後に長い可撓性のロックアーム５と、上壁１３の下側に一体に形成された複数の並列な端子収容室１７を有する端子収容部１８と、端子収容部１８の左右両側において上壁１３の前部左右端に設けられたロック突起１９と、ロック突起１９と端子収容部１８との間のストッパ壁２１と、端子収容部１８の底壁２９にヒンジ２２（図３）を介して開閉自在に設けられた端子二重係止部材２３（図３）とを備えるものである。
【００２６】
ガイド壁１５は内端に下向きのリブ１５ａを有し、リブ１５ａの外側に解除ピン６のリブ６ｆがスライド係合して（リブ１５ａは溝６ｅ内に進入して）正確に位置決めされる。各ロックアーム５は先端に薄肉部５ａ（図４）を有し、先端内側に薄肉部５ａに続く突起５ｂ（図４）を有し、突起５ｂは前側の垂直な係止面５ｃと後側の傾斜面５ｄとを有している。各ロックアーム５の先端の前方のハウジング壁部は切欠され、切欠部２０ａの内側に支柱部２０が上壁１３から立設され、支柱部２０の上端は上側のガイド壁１５に直交して続いている。各ロックアーム５の先端の薄肉部５ａの下側において薄肉部５ａよりも少し内側の位置にロック突起１９が配設され、各ロック突起１９は前側の傾斜面１９ａと後側の垂直な係止面１９ｂ（図４）とを有している。電線付きの雌端子２４が端子収容室１７に前部開口から挿入される。
【００２７】
図３の如く、端子２４はハウジング２内の可撓係止ランス２５で一次係止され、ヒンジ２２で開閉自在な係止部材２３で二次係止される。ハウジング２の後部にはバスバー収容部２６が一体に設けられ、収容部２６から端子収容室１７内にジョイント接続用のバスバー２７が収容され、バスバー２７に端子２４の弾性接触部２４ａが接触する。バスバー収容部２６はハウジング２から後方に突出し、上下方向に幅狭な板状に形成され、バスバー収容部２６の後端面２６ａがハウジング２の後端面をなしている。ハウジング２と端子２４とバスバー２７とでコネクタ２８が構成され、複数のコネクタ２８を積層して積層コネクタが構成される。
【００２８】
図１の各ハウジング２〜４には積層前に電線付きの端子２４とバスバー２７が収容され、下段（一方）のハウジング２の上部空間に上段（他方）のハウジング３が後方から前向きにスライド嵌合され、同時に上段のハウジング３の下部のロック突起１９が下段のハウジング２のロックアーム５の突起５ｂに乗り上げてロックアーム５を外向きに撓ませて、ロックアーム５の復元と同時に突起５ｂの前側係止面５ｃに係合し（図４の状態）、下段のハウジング２が前方への離脱なく係止される。下段のハウジング２の後方への離脱は、上段のハウジング３のストッパ壁２１が支柱部２０に当接することで阻止される。
【００２９】
図４〜図７の如く積層コネクタに解除治具１が挿入されて上下のハウジング２，３相互のロックが解除される。図１のように三層ないしそれ以上の積層コネクタにおいては最下層のハウジング２から順に離脱させることが好ましい。
【００３０】
図４の如く、解除治具１の左右の解除ピン６を図１の下段のハウジング２の各ロックアーム５の内側空間３０にスライド式に挿入する途中において、各解除ピン６の先端６ｂが各ロックアーム５の突起５ｂの後方直近に位置する。一対の解除ピン６の間の距離（ピッチ）は一対のロックアーム５の内側空間３０の間の距離（ピッチ）に等しい。内側空間３０はコネクタの積層状態で上下のハウジング２，３の間に形成される。解除ピン６の外面６ｃは下段のハウジング２の側壁１４（図２）の内面に接し、解除ピン６の内面６ｄは上段のハウジング３の端子収容部１８（図２）の側壁３１の外面に接する。図４で、符号７は解除治具１の上段の当接面、８は段差面、９は下段の押圧面をそれぞれ示している。
【００３１】
図５の如く、解除治具１をさらに前方へ押圧することで、各解除ピン６の先端部６ｂが各ロックアーム５の突起５ｂの傾斜面５ｄに乗り上げつつロックアーム５を外向きに撓ませて、前方のロック突起１９との係合を解除する。それと同時に解除治具１の下段の押圧面９が下段のハウジング２の後端面２６ａすなわちバスバー収容部２６の後端面に当接する。この際、図１の解除治具１の上段の当接面７は未だ上段のハウジング３の後端面２６ａに当接せず、後端面２６ａとの間に隙間を存して接近・対向している。上下の各ハウジング２，３の後端面２６ａは同一垂直面に位置している。
【００３２】
図５の状態からさらに解除治具１を前方に押圧することで、図７の如く下段の押圧面９が下段のハウジング２を寸法Ｌのように前方に押し出し、ロックアーム５の突起５ｂとロック突起１９とを前後に離間させ、次いで図６，図７の如く、上段の当接面７が上段のハウジング３の後端面２６ａすなわちバスバー収容部２６の後端面に当接して、解除治具１の押圧操作が停止する。寸法Ｌは段差面８の幅に等しい。段差面８の幅を適宜設定することで、下段のハウジング２の押し出し距離Ｌを規定することができる。
【００３３】
図５の如く下段の押圧面９が下段のハウジング２の後端面２６ａに当接した際に、ロックアーム５の先端とロック突起１９の後端との間に少しの隙間３２があり、図６の如く上段の当接面７が上段のハウジング３の後端面２６ａに当接した際に、ロックアーム５の先端はロック突起１９の後端に当接する。下段の押圧面９を当接面と呼称してもよい。
【００３４】
図７の如く、下段の押圧面９と上段の当接面７との間の段差８の寸法だけ下段のハウジング２が上段のハウジング３よりも寸法Ｌだけ前方に押し出されて突出し、ロックアーム５の突起５ｂとロック突起１９とが前後に離れる。これにより、ロックアーム５とロック突起１９との不意な再係合が防止され、積層コネクタの各ハウジング２，３の離脱がスムーズ且つ確実に行われる。たとえハウジング２と解除治具１との間にガタがあっても、ロック解除が再係合なく確実に行われる。
【００３５】
図８〜図１３は、本発明に係る積層コネクタ用解除治具の第二の実施形態を示すものである。
【００３６】
図８，図９の如く、この解除治具４１は、図１の解除治具１の下段の押圧面９が固定式であったのに対し、下段の押圧面４２を有する横長のスライドブロック（スライド部材）４３をブロック部４４に左右一対の圧縮コイルばね（弾性部材）４５で前方に弾性付勢して移動自在としたことを特徴とするものである。
【００３７】
図９の如く、スライドブロック４３は縦断面矩形状で左右方向に横長の棒状に形成され、左右端に抜け止め用の突起４６を有し、突起４６は後側の傾斜面と前側の垂直な係止面とを有している。解除治具４１のブロック部４４は、上段の固定ブロック（固定部材）４７と、固定ブロック４７の下側に深く抉られた凹部空間４８を有する後段のベースブロック４９とを備えている。
【００３８】
固定ブロック４７の前側の当接面５０の左右端部に一対の解除ピン６が水平に突設され、解除ピン６の外側で固定ブロック４７とベースブロック４９とを連結して左右端の鍔壁５１が設けられ、解除ピン６の下側で鍔壁５１の内面に前後方向の水平な溝５２がベースブロック４９にかけて設けられ、溝５２にスライドブロック４３の左右端の突起４６がスライド自在に係合する。
【００３９】
ベースブロック４９の前端面５３には、各コイルばね４５の後端部内に進入する支持用突起５４が設けられている。一対のコイルばね４５はスライドブロック４３を前後方向の傾きなく弾性支持する距離（ピッチ）で配置される。各コイルばね４５の長さはスライドブロック４３を固定ブロック４７よりも前方に突出させるように設定されている。
【００４０】
解除ピン６は図１の例と同じ形状のものであり、縦断面略矩形状に形成され、左右（内外）の垂直な面６ｃ，６ｄと水平な下面と上面外側のリブ６ｆとを有し、先端部は内側の傾斜面を有している（詳細は図１参照）。ブロック部４４の中央に後方の図１同様の握り部１１が設けられている。
【００４１】
図８の如く、スライドブロック４３がブロック部４４の下段に前後方向スライド自在に設けられ、スライドブロック４３が一対のコイルばね４５で前方に付勢されて、スライドブロック４３の前側の押圧面４２が固定ブロック４７の前側の当接面５０よりも前方に大きく突き出して位置する。自由状態でスライドブロック４３の後端面４３ａはコイルばね４５に付勢されて固定ブロック４７の当接面５０とほぼ同一垂直面ないしそれよりも少し前方に位置する。
【００４２】
スライドブロック４３の上面４３ｂは解除ピン６の下面に摺接して案内されることが好ましい。スライドブロック４３の後端面４３ａにベースブロック４７の支持突起５４と同様なばね支持用の短い突起を設けてもよい。スライドブロック４３の左右の端面は左右の鍔壁５１の内面に摺接案内される。スライドブロック４３の左右端の突起４６が鍔壁５１の溝５２に係合して前方への抜け出しが阻止されると共に前後方向に位置決め・案内される。
【００４３】
図８の積層コネクタの各ハウジング２〜４は図１の例と同一であるので、図１と同じ符号を付して詳細な説明を省略する。図８で符号５はロックアーム、１９はロック突起、１５はガイド壁、２９は各端子収容室１７を有する端子収容部をそれぞれ示す。各ハウジング２〜４内には電線付きの端子２４（図２）が収容され、各端子２４はハウジング内のバスバー２７（図３）でジョイント接続される。
【００４４】
図１０の如く、解除治具４１の左右の解除ピン６を図８の下段のハウジング２の各ロックアーム５の内側空間３０にスライド式に挿入する。図１０で符号５０は上段の固定ブロック４７の当接面、４２は下段のスライドブロック４３の押圧面、４３ｂは同じく上面、４３ａは同じく後端面、４５はコイルばねをそれぞれ示している。
【００４５】
図１１の如く、解除治具４１をさらに前進させることで、各解除ピン６がロックアーム５を外向きに撓ませてロック突起１０との係止を解除し、同時に下段のスライドブロック４３の押圧面４２が下段のハウジング２の後端面２６ａをコイルばね４５の力で前方に押圧しつつスライドブロック４３が後退してコイルばね４５が圧縮される。
【００４６】
次いで図１２，図１３の如く上段の固定ブロック４７の当接面５０が上段のハウジング３の後端面２６ａに当接し、それ以上の解除治具４１の前進動作が停止され、それと同時に下段のハウジング２がコイルばね４５の反発力で前方に強く押圧されて大きく前方に押し出され、ロックアーム５の突起５ｂとロック突起１９とが前後に大きく離間する。
【００４７】
本例においては、図１３の如く、固定ブロック４７の下面４７ａの前後長さとスライドブロック４３の上面４３ｂの前後長さを同等に設定しているので、コイルばね４５の最圧縮時にスライドブロック４３は固定ブロック４７よりもコイルばね４５の最圧縮長と同じ寸法で前方に突出し、固定ブロック４７とスライドブロック４３との間に段差面が形成される。すなわち、図１の例と同様に下段のハウジング２がコイルばね最圧縮状態のスライドブロック４３で強制的に前方に押し出され、その状態からコイルばね４５の復元反力で下段のハウジング２が大きく前方に押し出される。
【００４８】
図１３の例において、例えばスライドブロック４３内にコイルばね４５の最圧縮長さの円形の支持穴（図示せず）を設けておき、スライドブロック４３が下段のハウジング２に押接してコイルばね４５が圧縮されて支持穴内に収容され、スライドブロック４３の押圧面４２と固定ブロック４７の当接面５０とが同一の垂直面上に位置するようにし、コイルばね４５の復元反力のみで下段のハウジング２を押し出すようにすることも可能である。
【００４９】
何れの場合も、ロックアーム５とロック突起１９の不意な再係合が確実に防止されて、ハウジング２（正確には端子２４やバスバー２７を含むコネクタ２８）の離脱作業が作業性良くスムーズ且つ確実に行われる。これはハウジング２と解除ピン６との間にガタがある場合でも同様である。
【００５０】
なお、上記各実施形態においては、積層コネクタとしてジョイントコネクタを用いたが、ジョイントコネクタに代えて、例えばワイヤハーネス接続用や機器接続用等の雄・雌コネクタを用いることも可能である。この場合、例えば図３において、バスバー収容部２６が排除され、バスバー２７の代わりに相手コネクタの雄端子が雌端子に挿入される。ハウジングの後端面２６ａは雄端子挿入口の面（図３で符号３３の面）となる。あるいは雌端子２４に代えて雄端子をバスバー収容部２６に代わる雄端子収容部内に収容し、雄端子収容部の後端面に当接面７，５０又は押圧面９，４２を当接させる。
【００５１】
また、上記各実施形態においては、ロックアーム５とロック突起１９とで上下のハウジング２，３をロックさせたが、ロックアーム５に代えて特許文献１に記載のロック枠片等を用いることも可能である。これらロックアーム５やロック枠片をロック部と称し、相手側のロック突起１９を被ロック部と称する。
【００５２】
また、上記各実施形態においては左右一対の解除ピン６を用いたが、例えば上下のハウジング２，３のロック部が左右両方ではなく何れか一方のみに設けられたものである場合には、左又は右の一本の解除ピン６を用いてロックを解除する。また、握り部１１は解除操作を容易化するためのものであり、なくても解除自体は可能である（例えばブロック部１０，４４を手で前方に押圧する）。
【００５３】
また、上記各実施形態においては、上段のハウジング３に対して下段のハウジング２をロック解除して離脱させたが、例えば積層コネクタを上下反転させて支持した場合、又はそのような形状の積層コネクタにあっては、解除治具１，４１を上下反転させて使用し、下段のハウジング２に対して上段のハウジング３をロック解除して離脱させる。
【００５４】
また、第二の実施形態において、弾性部材として、コイルばね４５にかえて波形の板ばねやゴム部材等を用いることも可能である。また、上記各実施形態の構成は、積層コネクタ用解除治具として以外に、積層コネクタの解除構造や解除方法等としても有効なものである。
【産業上の利用可能性】
【００５５】
本発明に係る積層コネクタ用解除治具は、コネクタを二層ないしそれ以上に積層して積層コネクタとした場合における各コネクタ相互のロックを確実に解除させるために利用することができる。
【符号の説明】
【００５６】
１，４１  積層コネクタ用解除治具
２        下段（一方）のハウジング
３        上段（他方）のハウジング
５        ロックアーム（ロック部）
６        解除ピン
７，５０  上段（他方）の当接面
９，４２  下段（一方）の押圧面
１９      ロック突起（被ロック部）
２６ａ    後端面
４３      スライドブロック（スライド部材）
４５      コイルばね（弾性部材）
４７      固定ブロック（固定部材）
【図１】
2011222399.tif 000003
【図２】
2011222399.tif 000004
【図３】
2011222399.tif 000005
【図４】
2011222399.tif 000006
【図５】
2011222399.tif 000007
【図６】
2011222399.tif 000008
【図７】
2011222399.tif 000009
【図８】
2011222399.tif 000010
【図９】
2011222399.tif 000011
【図１０】
2011222399.tif 000012
【図１１】
2011222399.tif 000013
【図１２】
2011222399.tif 000014
【図１３】
2011222399.tif 000015
【図１４】
2011222399.tif 000016